(57)【要約】【課題】  狭小スペースに多くの電子部品を収容する場合に、組立後のケースの接着強度を高めることができる電子装置および眼鏡型電子機器を提供する。【解決手段】  眼鏡型電子機器１では、スペーサ３１は、右ケース１５の段差部１９と係合して右側テンプル部４および右側モダン部１３の縁部１６ａ１と面一になる第１の接着面３１ａを備えている。また、このように面一となった右側テンプル部４および右側モダン部１３の縁部１６ａ１と、スペーサ３１の第１の接着面３１ａが、防水両面テープ等の第１の接着層４３によって右蓋部１４と面着される。また、スペーサ３１は、右ケース１５に固定されている。【選択図】図２
2017103407.tif 000002
【特許請求の範囲】
【請求項１】
電子部品と、
前記電子部品を収容する収容部と
を有する電子装置であって、
前記収容部は、
蓋部と、
前記電子部品を収容する収容空間を形成し、当該収容空間に通じる開口部を有するケースと、
前記収容空間に収容され、前記ケースの前記開口部の縁部と面一になる第１の接着面を備えたスペーサと、
前記面一となった前記縁部および前記第１の接着面と、前記蓋部とを面着する第１の接着層と
を有する電子装置。
【請求項２】
前記電子部品と電気的に接続されるフレキシブルプリント基板
をさらに有し、
前記スペーサには、前記フレキシブルプリント基板を変形可能に収容する基板収容部が形成されている
請求項１に記載の電子装置。
【請求項３】
前記スペーサは、前記第１の接着面と反対側の第２の接着面が、第２の接着層を介して、前記収容空間を形成する前記ケースの底面に接着されている
請求項１または請求項２に記載の電子装置。
【請求項４】
スペーサの前記蓋部側には、前記蓋部と係合して前記蓋部と間の相対的な移動を規制する係合部が形成されており、
前記第１の接着層には、前記係合部を貫通させる貫通孔が形成されている
請求項１〜３のいずれかに記載の電子装置。
【請求項５】
前記フレキシブルプリント基板と電気的に接続される前記電子部品が形成された回路基板を有し、
前記収容部は、前記フレキシブルプリント基板の端部付近において、前記スペーサと前記収容空間の底面との間で前記回路基板を支持する支持部を有する
請求項１〜４のいずれかに記載の電子装置。
【請求項６】
前記第１の接着層は、防水両面テープであり、前記蓋部の前記スペーサ側の接着面の略全域に形成されている
請求項１〜５のいずれかに記載の電子装置。
【発明の詳細な説明】
【技術分野】
【０００１】
本発明は、電子部品を収容する電子装置に関するものである。
【背景技術】
【０００２】
電子部品を搭載した電子機器には防水性と耐衝撃性が要求される。
特許文献１には、簡素な防水構造を有し、衝撃に強い構造の携帯電子機器が開示されている。この携帯電子機器の表示ユニット１２は、金属板２１が樹脂部２２にインサート成形された表示筐体２０と、金属板２１上の＋Ｚ側に固定され、表示画面を有する表示モジュール３２と、防水性の両面テープ３１を介して、表示筐体２０に水密に取り付けられている。これにより、表示モジュール３２を覆うフロントパネル３０と、金属板２１上の−Ｚ側に固定された回路基板３３と、防水性の両面テープ３４を介して、表示筐体２０に水密に取り付けられることにより、回路基板３３を覆うリアパネル３５と、を有する。
【先行技術文献】
【特許文献】
【０００３】
【特許文献１】特開２０１２−９５１５２号公報
【発明の概要】
【発明が解決しようとする課題】
【０００４】
ところで、このような電子機器は、装置の小型化に伴い、装置内の部品配置スペースも狭くなっており、接着スペースの狭小化のため筺体組立時の接着強度低下が懸念されている。また、超音波溶着やレーザ溶着等を行うと、固定部外観に傷が付いたり、基板に実装されているセンサ関係に悪影響を及ぼすことがある。
【０００５】
また、可動部への電源供給や配置の自由度を向上させるため、特に電子部品搭載基板間の配線は、リジットな金属板ではなく柔軟性のあるフレキシブルプリント基板（ＦＰＣ）が用いられることが多いが、落下などの衝撃発生時にフレキシブルプリント基板が動き、回路基板とフレキシブルプリント基板の接続が外れてしまうことがあるという問題がある。
このような問題は、狭小スペースに電子部品を収容し、且つフレキシブルプリント基板を用いた眼鏡型電子機器にある。
【０００６】
本発明はかかる事情に鑑みてなされたものであり、その目的は、狭小スペースに多くの電子部品を収容する場合に、組立後のケースの接着強度を高めることができる電子装置を提供することである。
また、本発明は、フレキシブルプリント基板を安定した状態で収容できる電子装置を提供することである。
【課題を解決するための手段】
【０００７】
上述した従来技術の問題点を解決し、上述した目的を達成するために、本発明の電子装置は、電子部品と、前記電子部品を収容する収容部とを有する電子装置であって、前記収容部は、蓋部と、前記電子部品を収容する収容空間を形成し、当該収容空間に通じる開口部を有するケースと、前記収容空間に収容され、前記ケースの前記開口部の縁部と面一になる第１の接着面を備えたスペーサと、前記面一となった前記縁部および前記第１の接着面と、前記蓋部とを面着する第１の接着層とを有する。
【０００８】
この構成によれば、前記収容部の前記開口部の縁部と、前記スペーサの前記第１の接着面とが面一になり、第１の接着層によって当該面一となった前記縁部と前記第１の接着面とが面着される。これにより、前記第１の接着面を縁部と面一にせずに縁部のみを接着層で右蓋部に固定した場合に比べて、接着面積を大きくでき、ケースの組立強度を高めることができる。
【０００９】
好適には本発明の電子装置は、前記電子部品と電気的に接続されるフレキシブルプリント基板をさらに有し、前記スペーサには、前記フレキシブルプリント基板を変形可能に収容する基板収容部が形成されている。
この構成によれば、前記フレキシブルプリント基板を前記スペーサの基板収容部に収容するため、安定して保持できる。これにより、前記フレキシブルプリント基板が大きく動いて、電気的な接続が外れてしまうことを回避できる。
【００１０】
好適には本発明の電子装置の前記スペーサは、前記第１の接着面と反対側の第２の接着面が、第２の接着層を介して、前記収容空間を形成する前記ケースの底面に接着されている。
この構成によれば、前記スペーサを前記ケースに安定して固定できる。
【００１１】
好適には本発明の電子装置のスペーサの前記蓋部側には、前記蓋部と係合して前記蓋部と間の相対的な移動を規制する係合部が形成されており、前記第１の接着層には、前記係合部を貫通させる貫通孔が形成されている。
この構成によれば、前記スペーサが前記蓋部に対して相対的に移動することを規制でき、スペーサを安定した状態で前記収容空間内に保持できる。
【００１２】
好適には本発明の電子装置は、前記フレキシブルプリント基板と電気的に接続される前記電子部品が形成された回路基板を有し、前記収容部は、前記フレキシブルプリント基板の端部付近において、前記スペーサと前記収容空間の底面との間で前記回路基板を支持する支持部を有する。
この構成によれば、支持部によって、前記回路基板がある箇所における前記スペーサの奥行き方向の高さを調整できる。
【００１３】
好適には本発明の電子装置の前記第１の接着層は、防水両面テープであり、前記蓋部の前記スペーサ側の接着面の略全域に形成されている。
この構成によれば、第１の接着層に対して前記スペーサ側と前記蓋部側との間の防水性効果を高めることができる。
【発明の効果】
【００１４】
本発明によれば、狭小スペースに多くの電子部品を収容する場合に、組立後のケースの接着強度を高めることができる電子装置を提供することができる。
また、本発明によれば、フレキシブルプリント基板を安定した状態で収容できる電子装置を提供することができる。
【図面の簡単な説明】
【００１５】
【図１】図１は、本発明の実施形態に係る眼鏡型電子機器の外観斜視図である。
【図２】図２は、図１に示す右側テンプル部および右側モダン部の分解斜視図である。
【図３】図３は、図２に示す右ケースの右側収容空間を説明するための外観図である。
【図４】図４は図２に示す右側テンプル部および右側モダン部のスペーサを非表示にした状態での内部構造図である。
【図５】図５はスペーサを装着した状態での右側テンプル部および右側モダン部の内部構造図である。
【図６】図６は、図１に示す右側テンプル部の断面線Ａ−Ａにおける断面図である。
【図７】図７は図１に示す右側モダン部の断面線Ｂ−Ｂにおける断面図である。
【図８】図８は、図２に示すスペーサの基板収容部にフレキシブルプリント基板を収容した状態を説明するための図である。
【図９】図９は、図２に示す回路基板およびスペーサを右ケースに固定する構造を説明するための右側モダン部の付近の分解斜視図である。
【発明を実施するための形態】
【００１６】
以下、本発明の実施形態に係る眼鏡型電子機器１について、図面を参照し説明する。
図１は、本発明の実施形態に係る眼鏡型電子機器１の外観斜視図である。図２は、図１に示す右側テンプル部４および右側モダン部１３の分解斜視図である。
【００１７】
図１に示すように、眼鏡型電子機器１はプラステイック樹脂からなる眼鏡フレームを有している。
眼鏡型電子機器１は、眼鏡フレームの右側モダン部１３に電子部品２５が収容され、右側テンプル部４にフレキシブルプリント基板２４が収容される。
【００１８】
眼鏡型電子機器１は、人体の左耳の部分に掛けられる左側テンプル部３と人体の右耳にかけられ右側テンプル部４を有している。これら各テンプル部３、４は各耳に掛けるための角度が付けられておらず、人体の左側頭部及び右側頭部を包み込むようなストレート形状をなしている。このような各テンプル部３、４を備えた眼鏡フレームはホールド感が高い。
【００１９】
また、眼鏡型電子機器１は、レンズ６０、６０が取り付けられた左側リム部５と右側リム部６を有している。そして、これら各リム部５、６はブリッジ部７を介して連結されている。
【００２０】
また、左側テンプル部３と左側リム部５との間には左側ヒンジ部８が設けられており、右側テンプル部４と右側リム部６との間には右側ヒンジ部９が設けられている。
各テンプル部３、４は各ヒンジ部８、９を介して各リム部５、６に対して折曲自在に取り付けられている。なお、眼鏡型電子機器１の未使用時には、一般的に眼鏡フレームは左側テンプル部３を先に折り畳み、その後に右側テンプル部４を左側テンプル部３の上に重ね合わせるように折り畳まれる。
【００２１】
左側テンプル部３の先端側の左耳にかかる部分は左側傾斜部１０を介して左側モダン部１１が一体的に設けられている。また、右側テンプル部４の先端側の右耳にかかる部分も右側傾斜部１２を介して右側モダン部１３に一体的に設けられている。
これら各モダン部１１、１３は一般的に先セル、耳あて、イヤーパッドと呼ばれている。各テンプル部３、４と各モダン部１１、１３の連結部分は眼鏡型電子機器１の加重がかかる箇所である。
【００２２】
図２に示すように、右側テンプル部４と右側モダン部１３は右蓋部１４と右ケース１５に二分割されている。右蓋部１４と右ケース１５とは後述するように重ね合わせられており、右蓋部１４と右ケース１５との間には右側テンプル部４から右側モダン部１３に亘り細長い右側収容空間１６が形成されている。
本実施形態では、右蓋部１４および右ケース１５によって形成される右側テンプル部４と右側モダン部１３とが電子部品を収容する収容部を構成する。
【００２３】
左側テンプル部３と左側モダン部１１は、は右側テンプル部４と右側モダン部１３と線対称である。右側テンプル部４と右側モダン部１３には、右側収容空間１６と線対称に左側収容空間が形成されている。  
【００２４】
各モダン部１１、１３は各傾斜部１０、１２により、各テンプル部３、４より肉厚に形成されている。従って、各モダン部１１、１３内には各テンプル部３、４より、広い収容スペースを確保することができる。
【００２５】
左側テンプル部３と左側モダン部１１によって形成される収容空間には、矩形状のバッテリー部（図示せず）が収容されている。当該収容空間内はバッテリー部の専用取り付け部となっている。従って、容量の大きなバッテリーを収納することができる。
【００２６】
右側収容空間１６において、右側モダン部１３の部分には回路基板２１が収容されている。回路基板２１には、バッテリー部の充電回路等の電子部品２５が形成されている。また、右側モダン部１３には電源スイッチ部２３が設けられている。
【００２７】
また、回路基板２１には人体の姿勢を検出するセンサ部（図示せず）等の電子部品２５が搭載されている。このセンサ部は加速度センサやジャイロセンサ等からなる。加速度センサは眼鏡型電子機器１に作用する加速度を検出するセンサであり、互いに直交する複数の軸方向（例えば２軸、３軸）における角速度をそれぞれ検出する。また、ジャイロセンサは眼鏡型電子機器１に作用する回転動作を検出するセンサである。
【００２８】
センサ部により使用者の姿勢や動き、振動等の動作特性を検出するようになっている。センサ部２３により検出された動作特性の信号はBluetooth（登録商標）や無線ＬＡＮ等の無線通信により、スマートフォン等の携帯通信端末に送られる。
【００２９】
図２に示すように、右ケース１５は、前述したように右蓋部１４と共に右側テンプル部４および右側モダン部１３を形成すると共に、回路基板２１およびフレキシブルプリント基板２４を収容する右側収容空間１６を有する。
以下、右ケース１５について詳細に説明するが、左ケースは右ケース１５と線対称である点を除いて同様の構成を有している。
【００３０】
図３は、図２に示す右ケース１５の右側収容空間１６を説明するための外観図、図４は図２に示す右側テンプル部４および右側モダン部１３のスペーサ３１を非表示にした状態での内部構造図、図５はスペーサ３１を装着した状態での右側テンプル部４および右側モダン部１３の内部構造図である。
図３および図４に示すように、右ケース１５は、右蓋部１４と接合する外縁部１６ａ２の内側に、第１の接着層４３が位置する領域があり、その内側の縁部１６ａ１から奥行き方向に開口部１６ａが形成されている。
図２に示すように、右側収容空間１６内には、スペーサ３１が収容されている。
【００３１】
図６は図１に示す右側テンプル部４の断面線Ａ−Ａにおける断面図、図７は図１に示す右側モダン部１３の断面線Ｂ−Ｂにおける断面図である。
図５、図６および図７に示すように、スペーサ３１は、右側収容空間１６に収容された状態で、第２の接着面３１ｃを第２の接着層４５によって開口部１６ａの底面１６ｂに接着させている。
スペーサ３１は、右側収容空間１６内に収容された状態で、第１の接着面３１ａと縁部１６ａ１とが面一となる形状を有している。
そのため、面一となった第１の接着面３１ａと縁部１６ａ１の面の全面に第１の接着層４３を形成できる。そのため、第１の接着層４３を介してスペーサ３１と右蓋部１４とを広い接着面積で強固に接着できる。
【００３２】
図８は、図２に示すスペーサ３１の基板収容部３１ｂにフレキシブルプリント基板２４を収容した状態を説明するための図である。
図８に示すように、スペーサ３１には、右側テンプル部４内においてフレキシブルプリント基板２４を撓ませた状態で変形可能に収容する基板収容部３１ｂが形成されている。
【００３３】
右側収容空間１６の右側モダン部１３側には、電子部品２５が搭載された回路基板２１が収容されている。
【００３４】
図９は、回路基板２１およびスペーサ３１を右ケース１５に固定する構造を説明するための右側モダン部１３付近の分解斜視図である。
図９に示すように、スペーサ３１は、雄ネジ４１によって回路基板２１と一体になって右ケース１５に固定されている。
【００３５】
図５に示すように、面一となった右側テンプル部４および右側モダン部１３の右ケース１５の縁部１６ａ１と、スペーサ３１の第１の接着面３１ａは、第１の接着層４３によって右蓋部１４と面着される。これにより、第１の接着面３１ａを縁部１６ａ１と面一にせずに縁部１６ａ１のみを接着層で右蓋部１４に固定した場合に比べて、接着面積を大きくでき、組立強度を高めることができる。
【００３６】
また、第１の接着層４３としては、例えば、防水両面テープが用いられる。また、第１の接着層４３は、右蓋部１４の第１の接着層４３側の接着面の略全域に形成されている。これにより、第１の接着層４３に対してスペーサ３１側と右蓋部１４側との間の防水性効果を高めることができる。
スペーサ３１の第１の接着面３１ａとは反対側の第２の接着面３１ｃは、第２の接着層４５を介して、右側収容空間１６の底面１６ｂに接着されている
【００３７】
なお、例えば、図２に示すように、スペーサ３１の右蓋部１４側に、右蓋部１４との間の相対的な移動を規制する単数または複数の係合部７１が設けられている。
また、第１の接着層４３には、係合部７１を貫通させる貫通孔７３が形成されている。これにより、第１の接着面３１ａのずれが規制される。
【００３８】
また、図７に示すように、右側収容空間１６の右ケース１５の右側モダン部１３内では、回路基板２１のスペーサ３１と接触する面と反対側の面を支持する支持部５５が設けられている。支持部５５を設けることで、右側テンプル部４内と右側モダン部１３内とでスペーサ３１の奥行き方向の高さを一致させるように調整できる。
【００３９】
以下、眼鏡型電子機器１の製造工程を説明する。
眼鏡型電子機器１は、その製造工において、例えば、回路基板２１にフレキシブルプリント基板２４の端部を電気的に接続するように固定する。
そして、スペーサ３１の基板収容部３１ｂにフレキシブルプリント基板２４を収容する。回路基板２１に搭載された電子部品２５は、スペーサ３１の開口部３１ｄ内に位置する。
【００４０】
スペーサ３１の第１の接着面３１ａの反対側の接着面を第２の接着層４５により、右側収容空間１６の底面１６ｂに接着する。それと共に、図９に示すように、スペーサ３１の貫通孔３１ｅに、雄ネジ４１を貫通させ、雄ネジ４１を右ケース１５のネジ孔１５ａに螺合する。これにより、スペーサ３１がフレキシブルプリント基板２４と一体となって右ケース１５に固定される。
【００４１】
このとき、図５に示すように、スペーサ３１は、右側収容空間１６内において右ケース１５の開口部１６ａに収容され、第２の接着面３１ｃが第２の接着層４５を介して底面１６ｂに接着される。このとき、スペーサ３１の第１の接着面３１ａと縁部１６ａ１とが面一になる。
そして、面一となった縁部１６ａ１および第１の接着面３１ａとの全面が、第１の接着層４３を介して右蓋部１４が接着される。
【００４２】
以上説明したように、眼鏡型電子機器１では、図５、図６および図７に示すように、スペーサ３１は、右ケース１５の段差部１９と係合して右側テンプル部４および右側モダン部１３の縁部１６ａ１と面一になる第１の接着面３１ａを備えている。また、このように面一となった右側テンプル部４および右側モダン部１３の縁部１６ａ１と、スペーサ３１の第１の接着面３１ａが、防水両面テープ等の第１の接着層４３によって右蓋部１４と面着される。また、スペーサ３１は、右ケース１５に固定されている。
【００４３】
これにより、右蓋部１４を右側テンプル部４および右側モダン部１３の縁部１６ａ１との間でのみ接着した場合に比べて、接着面積を広くでき、右蓋部１４を右側テンプル部４、右側モダン部１３およびスペーサ３１に安定して固定できる。すなわち、組立後の右ケース１５の強度を高めることができる。
また、開口部１６ａの全面に第１の接着層４３を設けることで、接着後の防水効果を高めることができる。
【００４４】
また、眼鏡型電子機器１では、図８に示すように、スペーサ３１の基板収容部３１ｂにフレキシブルプリント基板２４を挟み込んで安定した状態で収容するため、眼鏡型電子機器１に衝撃が加わった場合でも、フレキシブルプリント基板２４を安定した姿勢で保持でき、フレキシブルプリント基板２４と回路基板２１とが間の接続が外れてしまうことを回避できる。
【００４５】
眼鏡型電子機器１では、上述したようにスペーサ３１を設けることで、小型化した場合でも、フレキシブルプリント基板２４を超音波やレーザ等で溶着する必要がなくなり、溶着に起因して固定部外観に傷が付いたり、回路基板２１に実装されているセンサ関係に悪影響を及ぼすことを回避できる。
【００４６】
眼鏡型電子機器１では、上述したように、第１の接着層４３として両面テープを用いることで、右側テンプル部４および左側テンプル部３に曲げ力等が加わった場合でも、右ケース１５および左ケースの破断を両面テープの柔らかさが追従して緩和される。
【００４７】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
例えば、上述した実施形態では、電子装置の一例として眼鏡型電子機器を例示したが、本発明は眼鏡型電子機器以外の電子装置にも同様に適用可能である。
【００４８】
また、上述した実施形態では、右側テンプル部４にフレキシブルプリント基板２４を収容し、右側モダン部１３に回路基板２１を収容する場合を例示したが、右側テンプル部４に回路基板を収容したり、右側モダン部１３にフレキシブルプリント基板２４を収容してもよい。
また、配線としてフレキシブルプリント基板２４以外の配線を用いてもよい。
【産業上の利用可能性】
【００４９】
本発明は、電子部品を収容する電子装置に適用可能である。
【符号の説明】
【００５０】
１…眼鏡型電子機器
２…右側テンプル部
３…左側テンプル部
５…左側リム部
６…右側リム部
７…ブリッジ部
８…左側ヒンジ部
９…右側ヒンジ部
１１…左側モダン部
１３…右側モダン部
１５…右ケース
１６…右側収容空間
１６ａ…開口部１６ａ
１６ａ１…縁部１６ａ１
１６ａ２…外縁部
１６ｂ…底面
２１…電気回路部
２４…フレキシブルプリント基板（ＦＰＣ）
２５…電子部品
３１…スペーサ
３１ａ…第１の接着面
３１ｂ…基板収容部
３１ｃ…第２の接着面
３１ｄ…開口部
４１…雄ネジ
４３…第１の接着層
４５…第２の接着層
５５…支持部
【図１】
2017103407.tif 000003
【図２】
2017103407.tif 000004
【図３】
2017103407.tif 000005
【図４】
2017103407.tif 000006
【図５】
2017103407.tif 000007
【図６】
2017103407.tif 000008
【図７】
2017103407.tif 000009
【図８】
2017103407.tif 000010
【図９】
2017103407.tif 000011